(57)【要約】      （修正有）【課題】ネックレスとして身につけながら、同時に、胸元にナプキン等を保持するナプキンクリップとして使用でき、さらに、紐との自由な組み合わせによって、クリップ機能を有するアクセサリーの多様な使用形態及び多彩なデザインを実現させる意匠クリップを提供する。【解決手段】表裏両面に意匠をほどこした意匠クリップ１の任意の複数箇所、及び、意匠をほどこした意匠紐２の両端それぞれに、連結装置３を設けることで、意匠クリップと意匠紐とが着脱可能な自由な組み合わせで連結される。【選択図】図１
0003189873.tif 000002
【実用新案登録請求の範囲】
【請求項１】
表裏両面に意匠をほどこし、他との着脱を可能とする連結装置を任意の複数箇所に設けたことを特徴とする意匠クリップ
【請求項２】
請求項１記載の意匠クリップと、連結装置を両端に設けることで、前記意匠クリップとの着脱を可能とし、かつ、その両端同士の着脱を可能とした意匠紐とを組み合わせたことを特徴とするアクセサリー
【考案の詳細な説明】
【技術分野】
【０００１】
本考案は、連結装置を設けた意匠クリップ、及び、この意匠クリップと、連結装置を両端に設けた意匠紐とを組み合わせたアクセサリーに関するものである。
【背景技術】
【０００２】
クリップと紐とを組み合わせたアクセサリーには、衣服の汚れを防ぐためにナプキンあるいはハンカチなどを胸元に保持することを主な目的とする、以下の考案がある。
【０００３】
２片のクリップが紐の両端に固定されているものとして、特許文献１、特許文献２がある。
【０００４】
２片のクリップが移動可能の状態で紐に取り付けられているものとして、特許文献３がある。
【０００５】
２片のクリップ同士あるいはクリップと紐との着脱が可能であり、それぞれが分離されたかたちでも個別にアクセサリーとしての装着が可能、あるいはクリップの交換によってデザインの変更が可能なものとして、特許文献４、特許文献５、特許文献６、特許文献７、特許文献８、特許文献９がある。
【０００６】
２片のクリップが紐の両端に固定されてはいるが、クリップ同士を着脱可能にすることによって、ネックレスとしての使用を可能とするものに、特許文献１０がある。
【０００７】
また、２片のクリップ同士あるいはクリップと紐とを着脱可能にして、ネックレスとして使用したりブローチとして使用したり胸元にナプキン等を保持するナプキンクリップとして使用することを可能とするもの、あるいは、クリップをネックレスを構成する部品として組み込むことによって、ネックレスとして使用しながらナプキン等を胸元に保持することを可能とするものに、特許文献１１がある。
【先行技術文献】
【特許文献】
【０００８】
【特許文献１】実用新案公開平５−７７２１１
【特許文献２】登録実用新案第３０５３５７６号
【特許文献３】実用新案公開平５−２０６０８
【特許文献４】実用新案公開平７−１２４２９
【特許文献５】登録実用新案第３０４８０１３号
【特許文献６】登録実用新案第３０９０６１５号
【特許文献７】登録実用新案第３０９７３０７号
【特許文献８】登録実用新案第３１０３７５１号
【特許文献９】登録実用新案第３１０８６５８号
【特許文献１０】実用新案公開平５−７２２１３
【特許文献１１】実用新案公開平１−１１９５６９
【考案の概要】
【考案が解決しようとする課題】
【０００９】
しかし、上述の特許文献１、特許文献２は、胸元にナプキン等を保持するナプキンクリップとして使用するとき以外は身に付けることが困難で持ち運びが面倒である。
【００１０】
また、特許文献３、特許文献４、特許文献５、特許文献６、特許文献７、特許文献８、特許文献９は、クリップと紐とを連結させたまま形状を変えたり、あるいは、クリップと紐とを分離させるなどして、アクセサリーとして身に付けることを可能にしてはいるが、実際に胸元にナプキン等を保持するナプキンクリップとして使用するにはクリップと紐とをつけ直すなどの操作が必要であり面倒である。
【００１１】
特許文献１０においても、ネックレスとして身に付けている状態から胸元にナプキン等を保持するナプキンクリップとして使用するためにはやはり操作が必要であり、また、ネックレスのデザインに構造上の制約を受けることが余儀なくされるため、アクセサリーとしての完成度は低く、さらに、クリップのもつ布等を保持する機能がナプキンクリップとして使用される場合に限定されてしまう物足りなさがある。
【００１２】
特許文献１１は、アクセサリーとしての使用と胸元にナプキン等を保持するナプキンクリップとしての使用との両立をはかるために、意匠や構造に相当工夫が凝らされてはいるが、アクセサリーとして身に付けるには無理のある不自然なデザインであることは否めず、また、クリップのもつ布等を保持する機能の用途がナプキンクリップとしてのみに限定されるために、複雑でコスト高が不可避な構造であるのに比して商品価値が低いという物足りなさがある。
【課題を解決するための手段】
【００１３】
上記の課題を解決するために、請求項１の本考案は、表裏両面に意匠をほどこし、他との着脱を可能とする連結装置を任意の複数箇所に設けたことを特徴とする意匠クリップである。
【００１４】
また、請求項２の本考案は、請求項１記載の意匠クリップと、連結装置を両端に設けることで、前記意匠クリップとの着脱を可能とし、かつ、その両端同士の着脱を可能とした意匠紐とを組み合わせたことを特徴とするアクセサリーである。
【考案の効果】
【００１５】
請求項１の本考案によれば、クリップに他との着脱を可能とする複数の連結装置を設けるという単純な構造によって、クリップのもつ布等を保持する機能を多様な用途で利用することが可能となり、さらに、表裏両面に意匠がほどこされることによって、クリップがぶら下がった状態で裏表になったときにもデザイン性が損なわれず、アクセサリーとしての完成度が高められる。
【００１６】
請求項２の本考案によれば、請求項１記載の意匠クリップと、この意匠クリップとの着脱が可能で、かつ、その両端同士の着脱をも可能にする連結装置を両端に設けた意匠をほどこした紐とが、その連結装置を介してリング状に組み合わされることによって、ネックレスとして身に付けながら、同時に、胸元にナプキン等を保持するナプキンクリップとして使用することが可能となる。また、それぞれを個別に分けたり、あるいは、その多彩な組み合わせ方を工夫することによって、クリップのもつ布等を保持する機能を多様な用途で利用することが可能となり、さらに、アクセサリーとして多彩なデザインを楽しめるという付加価値が提供される。
【図面の簡単な説明】
【００１７】
【図１】本考案の実施例に係る意匠クリップ及び、意匠紐の一例の表面の斜視図である。この図において意匠クリップ１は意匠紐２に比して便宜上やや大きく描かれているものとする。
【図２】本実施例に係る意匠クリップの一例の裏面の斜視図である。
【図３】本実施例に係る意匠クリップの一例の側面図である。
【図４】本考案の意匠クリップと意匠紐との組み合わせ方の一例で、ネックレス兼ナプキンクリップとしての使用形態を示す説明図である。
【図５】本考案の意匠クリップと意匠紐との組み合わせ方の一例で、帽子の紛失を防ぐ帽子クリップとしての使用形態を示す説明図である。
【図６】本考案の意匠クリップと意匠紐との組み合わせ方の一例で、手袋の紛失を防ぐグローブクリップとしての使用形態を示す説明図である。
【考案を実施するための形態】
【００１８】
表裏両面に意匠をほどこしたクリップの任意の複数箇所、及び、意匠をほどこした紐の両端それぞれに、他との着脱を可能とする連結装置を設け、その連結装置を介して、これら意匠クリップと意匠紐とを連結させて組み合わせる。
【実施例】
【００１９】
以下、本考案の実施例を図を参照して説明する。１は意匠クリップ、２は意匠紐、３は連結装置であり、３は１の任意の複数箇所、及び２の両端に、それぞれ設けられている。
【００２０】
意匠クリップ１は表裏両面ともアクセサリーとしての外観を損なわない意匠がほどこされ、意匠クリップ１と意匠紐２は、それぞれに設けた連結装置３を介して、意匠クリップ１同士、意匠紐２同士、意匠クリップ１と意匠紐２を混在させるなどして、さまざまな組み合わせ方で互いに連結されることが可能である。
【００２１】
意匠クリップ１は意匠の一例として花を模した樹脂製のものを示したが、その他、幾何学的デザインを模したもの、布素材や皮素材など、アクセサリーとして違和感のないものであれば、意匠の形態や素材の種類を問わず、同様に、クリップ部分においてもクリップのもつ布等を保持する機能を有することができれば、意匠の形態や素材の種類は問わない。
【００２２】
意匠紐２は一例としてビーズ紐を示したが、その他、チェーンや革紐など、アクセサリーとして違和感のないものであれば、意匠の形態や素材の種類は問わない。なお図１において、意匠紐２に比して意匠クリップ１は便宜上やや誇張して大きく描かれているが、サイズや比率を限定するものではない。
【００２３】
連結装置３は一例として引き輪と板カンを図に示したが、その他、他との着脱を可能とする連結装置であれば、ナスカン、カニカン、リング、フック、貫通穴など、意匠の形態や素材の種類は問わない。
【符号の説明】
【００２４】
１  意匠クリップ
２  意匠紐
３  連結装置
【図１】
0003189873.tif 000003
【図２】
0003189873.tif 000004
【図３】
0003189873.tif 000005
【図４】
0003189873.tif 000006
【図５】
0003189873.tif 000007
【図６】
0003189873.tif 000008